(57)【特許請求の範囲】
【請求項１】
画面上に映像を表示する表示デバイスと、
音声を出力するためのスピーカシステムと、を備えたディスプレイ装置において、
前記スピーカシステムが前記表示デバイスの上方または下方に設置され、少なくとも該スピーカシステムの、前記ディスプレイ装置の前方に面する音声出力部の形状が、前記ディスプレイ装置の画面垂直方向よりも画面水平方向に長く形成され、
前記音声出力部の後方に、その画面と平行な断面が画面垂直方向よりも画面水平方向に長く、かつ前記ディスプレイ装置の奥行き方向に延びて形成された中空のスピーカキャビネットが接続されることを特徴とするディスプレイ装置。
【請求項２】
請求項１に記載のディスプレイ装置において、
前記音声出力部は、前記スピーカシステムの音声出力源であるスピーカユニットであることを特徴とするディスプレイ装置。
【請求項３】
請求項１に記載のディスプレイ装置において、
前記スピーカキャビネットは、前記ディスプレイ装置の奥行き方向に沿って配列された前部スピーカキャビネットと後部スピーカキャビネットを有する事を特徴とするディスプレイ装置。
【請求項４】
請求項３に記載のディスプレイ装置において、
前記後部スピーカキャビネットは、その画面垂直方向に直行する断面が、前記ディスプレイ後部に対応する部分を斜めにカットされた台形状にしたことを特徴とするディスプレイ装置。
【発明の詳細な説明】
【０００１】
【発明の属する技術分野】
本発明は、特にテレビジョン受像機などのディスプレイ装置の本体筐体に内蔵されるスピーカシステム、及びそのスピーカシステムを塔載したディスプレイ装置に係り、特に、ディスプレイ装置の水平方向の幅寸法を小さくするのに好適な構造を備えたスピーカシステム、及びそのスピーカシステムを塔載して幅寸法が小さくし、設置スペースを縮小せしめたディスプレイ装置に関する。
【０００２】
【従来の技術】
テレビジョン受像機に代表されるディスプレイ装置に内装されるスピーカシステムは、例えば図１３に示される如く、テレビジョン受像機５１の表示デバイス（ブラウン管５４）の左右両側に収納されるように、画面垂直方向に長い縦長のスピ−カシステム５２が用いられる場合がある。この理由は、横長画面（アスペクト比が１６：９）を持つワイドテレビジョンが多く普及していることに伴って、ワイドテレビジョンの横幅寸法Ｗｔを抑えコンパクトにするためである。
【０００３】
この場合、図１４に示されるように長円形や楕円形に形成された音声出力源であるスピーカユニット５６を縦長のスピ−カキャビネット５７に取付けた構成のスピーカシステム５２が、テレビジョン５１の本体筐体の前枠５３の側壁５３ａとブラウン管５４との間に内装されていた。この図１４において、５７ａはバッフルであり、その中央部にスピーカユニット５６を取り付けるための開口部６１が形成されている。また、その開口部６１の上下には、音声の低音域を強くするためのバスレフポート６０が設けられいる。スピ−カキャビネット５７は、中空の箱体を形成しており、画面の水平方向に互いに対向して配置された一対の側板５７ｄ、５７ｅと、画面垂直方向に互いに対向して配置され、上記側板５７ｄ、５７ｅの垂直方向の上下端部に各々接続される天板５７ｂ及び底板５７ｃと、上記側板５７ｄ、５７ｅ及び板５７ｂ、底板５７ｃで構成される枠体の上記バッフルが接続される側とは反対側の端部に接続された裏板５８とにより構成される。そして、天板５７ｂ及び底板５７ｃに形成された突起５９は、テレビジョン受像機５１の本体筐体にスピーカシステム５２を取り付けるための部品である。
【０００４】
尚、ブラウン管の左右両側にスピーカシステムを設置する従来技術としては、特開平６−２３７４９８号公報や、特開平８−９４８６号公報に記載のものが知られている。
【０００５】
【発明が解決しようとする課題】
ところで、図１３に示したテレビジョン受像機５１の構成は、テレビジョン受像機５１の横幅寸法Ｗｔを抑えコンパクトにする利点はあるものの、テレビジョン受像機５１の横幅寸法Ｗｔはブラウン管５４の幅Ｗｂと左右のスピーカシステム５２幅Ｗｓを加えた以下にはできない。また、図１４に示されるように、スピ−カキャビネット５７の幅Ｗｃはスピーカユニット５６の幅Ｗｓを有するのでそれ以下にはできない。つまり、従来技術における構成（スピーカシステムをブラウン管の左右両側に設置する構成）では、ディスプレイ装置の横幅寸法のコンパクト化に限界があった。
【０００６】
さらに、スピ−カシステム５２は奥行きＤｃを有するので、図１５に示すように部屋のコ−ナ−部６２に設置する場合に次の問題があった。つまり、コ−ナ−部に設置する場合を考慮して、テレビジョン受像機５１の後部筐体の左右角部６３をカットした構成をとることが多い。この場合、スピ−カキャビネット５７の容積を大きくするとスピ−カキャビネット５７の奥行きＤｃが大きくなり、テレビジョン受像機５１の後部筐体の左右角部６３を大きくカットした構成が困難となる。
【０００７】
また、スピーカシステムで発生した振動がテレビジョン受像機５１の筐体を介してテレビジョン受像機５１筐体に取付けたブラウン管のシャドウマスクに伝達し、シャドウマスクが振動して色むらを生じる場合があった。この現象は平面ブラウン管において顕著であった。
【０００８】
本発明は、上記のような問題に鑑みて為されたものであって、その目的は、ディスプレイ装置の幅寸法をコンパクトにするのに好適なスピーカシステムを有するディスプレイ装置を提供することにある。
【００１０】
【課題を解決するための手段】
上記目的を達成するための、本発明に係るディスプレイは、画面上に映像を表示する表示デバイスと、音声を出力するためのスピーカシステムと、を備えたディスプレイ装置において、前記スピーカシステムが前記表示デバイスの上方または下方に設置され、少なくとも該スピーカシステムの、前記ディスプレイ装置の前方に面する音声出力部の形状が、前記ディスプレイ装置の画面垂直方向よりも画面水平方向に長く形成され、前記音声出力部の後方に、その画面と平行な断面が画面垂直方向よりも画面水平方向に長く、かつ前記ディスプレイ装置の奥行き方向に延びて形成された中空のスピーカキャビネットが接続されることを特徴とする。
【００１１】
上記構成では、前記音声出力部は、前記スピーカシステムの音声出力源であるスピーカユニットであってもよい。
【００１２】
また、前記スピーカキャビネットは、前記ディスプレイ装置の奥行き方向に沿って配列された前部スピーカキャビネットと後部スピーカキャビネットを有する事を特徴とする。
【００１３】
さらに、前記後部スピーカキャビネットは、その画面垂直方向に直行する断面が、前記ディスプレイ後部に対応する部分を斜めにカットされた台形状にしたことを特徴とする。
【００１６】
【発明の実施の形態】
本発明の実施の形態について、図面を参照しつつ詳細に説明する。図１は、本発明に係るスピーカシステムが内蔵されたテレビジョン受像機の正面斜め透視図である。尚、ここでは、ディスプレイ装置としてテレビジョン受像機を例にとって説明する。図１において、５はバックカバーであり、前枠３及び底板３ａとにより本体筐体を構成している。バックカバー５、前枠３及び底板３ａにより構成された本体筐体の内部には、ブラウン管４と一組のスピーカシステム２が内蔵されている。このスピーカシステム２は、ブラウン管４の下部と底板３ａとの間であって、テレビジョン受像機１の左右両端部寄りに配置されており、かつ前枠３に取り付けられている。また、スピーカシステム２は、図１から明らかなように、画面垂直方向の寸法よりも画面水平方向の寸法の方が長い、いわゆる横長の長方形を為すスピーカを含む音声出力部を有しており、この音声出力部がテレビジョン受像機１の前方(画面観視側）に面している。また、スピーカシステム２は、テレビジョン受信機１の奥行き方向に延びて形成され、かつその画面と平行な断面形状が画面垂直方向の寸法よりも画面水平方向の寸法の方が長い長方形のスピーカキャビネットと接続されている。尚、このスピーカキャビネットは、中空であり、その内部に強度を向上させるための補強桟が設けられている。その詳細については後述する。
【００１７】
次に、図２を用いて、本発明に係るスピーカシステムの具体的構成の一例を説明する。図２に示すスピーカシステム２は、スピーカユニット６と前部スピーカキャビネット７および後部スピーカキャビネット８から構成されている。スピーカユニット６は、音声を出力するスピーカを備えており、前記ディスプレイ装置の画面垂直方向よりも画面水平方向に長く形成された横長の長方形としている。また、前部キャビネット７と後部キャビネット８は、プラスチックの射出成形によって製作したものを用いている、これに限定されるものではない。
【００１８】
前部スピーカキャビネット７は、スピーカユニット６を取付けるバフル７ａ，天板７ｂ、底板７ｃ、左右の側板７ｄおよび７ｅ、スピーカシステム２をテレビジョン１の本体筐体の前枠３の側壁３ａに取付けるための突起９、スピーカユニット６を取付けるバフル７ａの開口部１０からなっている。天板７ｂ及び底板７ｃは、画面の垂直方向に互いに対向して配置されており、画面水平方向に互いに対向して配置された一対の側板７ｄ及び７ｅと接続され、これにより枠体を形成している。この枠体の前方（テレビジョン受像機１の前方側）の端部には、開口部１０にスピーカユニット６が嵌め込まれたバッフル７ａが接続される。この前部スピーカキャビネットは、画面垂直方向よりも画面水平方向に長く、かつ前記ディスプレイ装置の奥行き方向に延びて形成されており、その画面と平行な断面形状は、スピーカユニット６と相似の長方形である。また、キャビネット７には、音声の低音域を拡大するための１個もしくは複数のバスレフポート１１を設けている。このバスレフポート１１は、スピーカユニット６が嵌め込まれる開口部６と画面水平方向に並列に設けている。
【００１９】
また、後部スピーカキャビネット８は、天板８ｂ、底板８ｃ、左右の側板８ｄおよび８ｅ、裏板８ａから成っている。天板８ｂ及び底板８ｃは、画面の垂直方向に互いに対向して配置されており、画面水平方向に互いに対向して配置された一対の側板８ｄ及び８ｅと接続され、上記のものとは別の枠体を形成している。そしてこの枠体の後方（テレビジョン受信機１の後方側）端部には裏板８ａが接続されている。また、前方の端部には、上記前部スピーカキャビネット７のバッフル７ａが接続されない方の端部と接続されている。この後部スピーカキャビネット８も、前部スピーカキャビネットと同様に画面垂直方向よりも画面水平方向に長く、かつ前記ディスプレイ装置の奥行き方向に延びて形成されており、その画面と平行な断面形状は、横長の長方形を成している。
【００２０】
スピーカシステム２は、予めキャビネット７のバッフル７ａにスピーカユニット６を複数のねじで取付け、その後に前部キャビネット７に後部キャビネと８を複数のねじで取付けて組立て置く。テレビジョン１の本体筐体の前枠３にブラウン管４を取付た後、上記予め組立てられたスピーカシステム２の、前部キャビネット７の側板７ｄと７ｅとに一体に成形した複数の突起９を本体筐体の前枠３の底板３ａの所定の位置に複数のねじで取付る。そして、電子回路基板（この図１では示していない）を取付け、本体筐体のバックカバー５を本体筐体の前枠３に複数のねじで取付けて組立てる。図２においては、バスレフポート１１はバフル７ａの左側（テレビジョン１受像機としては内側）に設けているが右側（外側）に設けても良い。
【００２１】
また、テレビジョン受像機１の本体筐体に取付けるためのスピ−カシステム２の前部キャビネット７に設けた突起９は、前部キャビネット７と後部キャビネット８およびスピーカユニット６からなるスピ−カシステム２の前後方向の質量のバランス点上（バランス線上）すなわち、スピーカシステム２の重心を含む（画面水平方向と平行な）線上に設ける。これによって、スピ−カシステム２で発生する振動がテレビジョン１の本体筐体に取付けたブラウン管４に伝達しにくくなり、ブラウン管のシャドウマスクのが振動することなく、色むらが発生しにくい効果がある。
【００２２】
図１に示した本発明に係るテレビジョン受像機の画面垂直方向と直交する断面の平面図は、図３に示すようになる。しかし、スピ−カキャビネットの内容積を大きくするためには、スピ−カキャビネットの奥行き寸法を大きくする必要が生じる。その結果、テレビジョン１の後面の寸法Ｗｒが大きくなり、テレビジョン受像機１を部屋の四隅に設置するスペ−ス性が悪くなる。
【００２３】
そこで、図４に示すようにキャビネット１２の後部を内容積を増やすように、かつ、テレビジョン１を部屋の四隅に設置しやすくするように本体筐体のバックカバー５の後部を４５度にすることもあるので、スピ−カキャビネットの後部キャビネット１２の後部を、前枠３の側壁３に対して４５度の角度をなすように形状構成にする。このようにすれば、設置スペースを取りやすくなる。
【００２４】
ところで、図２に示したスピーカシステム２は、全体に扁平な形状構造をしているので、スピーカユニット６の後面に放射された音圧によって、定在波およびキャビネット７の材料および形状構造によって固有の共振を生じる。その結果、再生音圧周波数特性上にピークおよびディップと歪音を生じる。これを抑制するためには、前部キャビネット７および後部キャビネット８の面積が大きい天板７ｂ，８ｂおよび７ｃ，８ｃをそれぞれ接続する１個もしくは複数の補強桟を設ければよい。これについて、図５及び図６を用いて説明する。
【００２５】
図５の平断面図に示すように、前部キャビネット７の天板７ｂ，底板７ｃおよびの後部キャビネットの天板８ｂ，および底板８ｃを互いに接続するように１個もしくは複数の補強桟７ｆ、８ｆを一体に成形して設ける。また、図５に示した前部キャビネット７では、バスレフポート１１は補強桟を兼ねた仕切り７ｇと天板７ｂ，底板７ｃおよび側板７ｄで角管に構成しているが円管にすることも可能である。
【００２６】
図５に示したバスレフポート１０の形状は単純な角管になっている。同様に、補強桟７ｆも単純な板である。これは、キャビネット７の成形型を最も簡易な上下型（前後型）で構成できるように考慮したためである。同様に、図５に示した形状構成の前部キャビネット７の構造は、図２に示すように前部キャビネット７がバフル７ａに開口１０があり、前部キャビネット７の後面が後部キャビネット８を取付けるために開放にしているので、補強桟７ｆが構成しやすい。スライドコアを用いた成形型にすれば、さらに複雑な構成にすることが可能である。
【００２７】
また、図５および６に示した形状構成の前部キャビネット７の補強桟７ｆは、図７に示すように補強桟７ｆ’は、側板７ｄ，７ｅに対して不平行でも良い。
【００２８】
さらに、図５，図６および図７に示した形状構成の前部キャビネット７および後部キャビネット８の構造にすることによって、キャビネット７が強固になりキャビネットの振動が抑制されるが、スピ−カキャビネットが偏平で奥行き寸法Ｄｓが大きいので定在波が生じ、図８に示すように音圧周波数特性イ上にディップおよびピ−クを発生する。そこで、図５および図６に併せ示すようにスピ−カキャビネットの奥行き寸法Ｄｓのほぼ半分の位置に吸音材１３を挿入する。吸音材１３を挿入することによって、図８に併せ示すようにディップおよびピ−クの無いスム−ズな音圧周波数特性ロが得られる。その結果、歪音の無いクリアな再生音が得られる効果がある。
【００２９】
つぎに、テレビジョン受像機１本体筐体へのスピ−カシステムの取付けを考慮した、スピ−カシステムのキャビネット形状構成についての本発明の実施の形態の１例を示す。
【００３０】
図９および図１０は、実施例を示す平面図および横から見た断面図である。主電子回路基板１４は、厚さが１〜１．５ｍｍ程度の比較的面積が広いプリント基板が用いられるが、破損を防ぐために３辺もしくは４辺を枠１５によって支持されている（図９では３辺）。図９および図１０において、枠１５に周辺を保持された主電子回路基板１４はブラウン管４とスピ−カシステム１２’の間隙に挿入されている。テレビジョン１受像機本体筐体のブラウン管４の下部には、リモ−トコントロ−ルの受信部、主電源ボタン、手動によるコントロ−ルパネル１６がある。コントロ−ルパネル１６の高さＨｃは、意匠上高くなることは好ましくない。
【００３１】
主電子回路基板１４を保持する枠１５は厚さが１０ｍｍ程度あるので、図１０ではコントロ−ルパネル１６の高さＨｃを抑えるために、図１１に示すようにスピ−カシステムのキャビネットの上面（天板）を枠１５の厚さ分だけ削っている（キャビネットの高さを低くしている）。
【００３２】
図１１に示したスピ−カキャビネットは右側に取付けるように構成しているので、左側用には対称の構成の成形型が必要となる。そこで、図１２に示すように天板および底板を削ったような形状構成し、左右を反転して取付けるようにすれば、ひとつの成形型で良いのコストを低減できる。
【００３３】
尚、本実施の形態の説明では、ディスプレイ装置として、テレビジョン受像機を例にして説明したが、本発明は、これに限るものではなく、パーソナルコンピュータやワークステーションなどのコンピュータ端末のモニタとして用いられるディスプレイにも適用されることは言うまでもない。また、本実施の形態の説明では、スピーカシステム２をブラウン管４の下方へ設置した構成を例にとって説明したが、ブラウン管の上方に設置してもかまわない。更に、表示デバイスとしてブラウン管を例にとって説明したが、ＰＤＰや液晶パネルなどの他の表示デバイスを用いたディスプレイ装置にも、同様に適用されることは言うまでもない。
【００３４】
【発明の効果】
以上述べたように、本発明では、ディスプレイ装置の横幅寸法を小さくすることができる。また、スピーカキャビネットの天板および底板を複数の補強桟で結合すれば、強固なキャビネット構造となり、キャビネットの振動を抑制し、異常音が無い明瞭な再生音が得られる効果がある。
【００３５】
更に、スピーカシステムの前後方向の質量のバランス点上（バランス線上）、すなわち重心を含む線上にディスプレイ装置への取付けのための突起を設け、該突起をテレビジョン本体筐体に取付けることによって、ブラウン管への振動が伝達しにくなり、シャドウマスクの振動も生じないので、色むらが無くなる効果がある。
【図面の簡単な説明】
【図１】本発明のテレビジョン受像機におけるスピーカシステムの形状構成を示す斜めから見た透視図
【図２】本発明に係るスピーカシステム構成の一例を示す斜視図
【図３】本発明の係るスピーカシステムを内蔵したテレビジョン受像機の画面と直交する断面を示した平面図
【図４】本発明の係るスピーカシステムを内蔵したテレビジョン受像機の画面と直交する断面を示した平面図であって、スピーカシステム及びテレビジョン受像機の後部を変形させた一例を示す図
【図５】本発明に係るスピーカシステムにおけるスピーカキャビネットの内部構造の一例を示す断面図
【図６】本発明に係るスピーカシステムにおけるスピーカキャビネットの内部構造の他の例を示す断面図
【図７】本発明に係るスピーカシステムにおけるスピーカキャビネットの内部構造の更に他の例を示す断面図
【図８】本発明のスピーカシステムのスピーカキャビネットの構成による効果を示す音圧周波数特性図
【図９】本発明のテレビジョン筐体本体にスピーカシステムを取付け配置した平面図
【図１０】本発明のテレビジョン筐体本体にスピーカシステムを取付け配置した断面図
【図１１】本発明のテレビジョン筐体本体にスピーカシステムを取付け配置を考慮したスピーカシステムのキャビネットの形状構成を示す実施例の斜視図
【図１２】本発明のテレビジョン筐体本体にスピーカシステムを取付け配置を考慮したスピーカシステムのキャビネットの形状構成を示す他の実施例の斜視図
【図１３】従来例のテレビジョンにおけるスピーカシステムの形状構成を示す斜めから見た透視図
【図１４】従来例のスピーカシステムのスピーカユニットを取付けるキャビネットのバフル面の形状構成を示す斜視図
【図１５】従来例のスピーカシステムを取付けたテレビジョン本体筐体を設置した部屋の様子を示す模式図
【符号の説明】
１…テレビジョン受像機，２…スピーカシステム，３…テレビジョンの本体筐体の前枠，４…ブラウン管，５…テレビジョンの本体筐体のバックカバー，６…スピーカユニット，７…前部スピーカキャビネット，８…後部スピーカキャビネット，９…スピーカキャビネットを取り付けるための凸起，１０…バスレフポート，１１…バフルの開口，１２，１２’…スピーカシステム，１３…吸音材，１４…主電子回路基板，１５…主電子回路基板１４を支持し取付ける枠，１６…コントロ−ルパネル。
【図１】
0003909165.tif 000002
【図２】
0003909165.tif 000003
【図３】
0003909165.tif 000004
【図４】
0003909165.tif 000005
【図５】
0003909165.tif 000006
【図６】
0003909165.tif 000007
【図７】
0003909165.tif 000008
【図８】
0003909165.tif 000009
【図９】
0003909165.tif 000010
【図１０】
0003909165.tif 000011
【図１１】
0003909165.tif 000012
【図１２】
0003909165.tif 000013
【図１３】
0003909165.tif 000014
【図１４】
0003909165.tif 000015
【図１５】
0003909165.tif 000016